(57)【要約】【課題】  大理石パネルで室内の化粧床面を形成する暖房機能付床構造の、設置施工する工期の短縮とメンテナンス性向上を図る。【解決手段】  大理石パネル（化粧パネル）２を複数枚並べて室内Ｒの化粧床面２ａを形成し、大理石パネル２の下方に熱源ユニット８を配置してなる暖房機能付床構造であって、複数枚の大理石パネル２と熱源ユニット８との間に、水平に拡がる設置面９ａを形成する鉄板（浮陸調整金属板）９を配置する。そして、接着剤等で固着させることなく大理石パネル２を鉄板９に載せることで、大理石パネル２を鉄板９とは縁が切れた状態にする。そして、大理石パネル２のうち室内Ｒの壁面１ｂに対向する位置の大理石パネル２と壁面１ｂとの間に、弾性変形可能なシーリング材（弾性部材）１０を充填する。【選択図】        図２
2005126981.tif 000002
【特許請求の範囲】
【請求項１】
石製又はタイル製の化粧パネル（２）を複数枚並べて室内の化粧床面（２ａ）を形成し、前記化粧パネル（２）の下方に熱源ユニット（８）を配置してなる暖房機能付床構造であって、
複数枚の前記化粧パネル（２）と前記熱源ユニット（８）との間には、水平に拡がる設置面（９ａ）を形成する浮陸調整金属板（９）が配置され、
前記化粧パネル（２）は、前記浮陸調整金属板（９）とは縁が切れた状態で前記設置面（９ａ）の上に載せられ、
前記複数枚の化粧パネル（２）のうち前記室内の壁面（１ｂ）に対向する位置の化粧パネル（２）と前記壁面（１ｂ）との間には、少なくとも水平方向に弾性変形可能な弾性部材（１０）が設けられていることを特徴とする暖房機能付床構造。
【請求項２】
前記浮陸調整金属板（９）は複数枚に分割されており、
前記浮陸調整金属板（９）の分割部分には、防水テープ（９ｂ）が貼り付けられていることを特徴とする請求項１に記載の暖房機能付床構造。
【請求項３】
前記浮陸調整金属板（９）は、前記熱源ユニット（８）の上に載せられていることを特徴とする請求項１または２に記載の暖房機能付床構造。
【請求項４】
前記熱源ユニット（８）は、化粧用木製フローリング材（７）の上に載せられていることを特徴とする請求項１ないし３のいずれか１つに記載の暖房機能付床構造。
【請求項５】
前記弾性部材には、前記化粧パネル（２）と前記壁面（１ｂ）との間に流動性の素材を充填して固化させてなるシーリング材（１０）が採用されていることを特徴とする請求項１ないし４のいずれか１つに記載の暖房機能付床構造。
【請求項６】
前記シーリング材（１０）の下面には、該シーリング材（１０）と密着性の低い剥離部材（１１）が配置されていることを特徴とする請求項５に記載の暖房機能付床構造。
【請求項７】
前記壁面（１ｂ）と前記シーリング材（１０）の間には、該シーリング材（１０）と密着する見切り材（１２）が配置されていることを特徴とする請求項５または６に記載の暖房機能付床構造。
【請求項８】
室内にて熱源ユニット（８）を設置する第１工程と、
前記熱源ユニット（８）の上に、水平に拡がる設置面（９ａ）を形成する浮陸調整金属板（９）を載せる第２工程と、
石製又はタイル製の化粧パネル（２）を、前記浮陸調整金属板（９）とは縁が切れた状態で前記設置面（９ａ）の上に複数枚並べて前記室内の化粧床面（２ａ）を形成する第３工程と、
前記複数枚の化粧パネル（２）のうち前記室内の壁面（１ｂ）に対向する位置の化粧パネル（２）と前記壁面（１ｂ）との間に、少なくとも水平方向に弾性変形可能な弾性部材（１０）を設ける第４工程と、
を備えることを特徴とする暖房機能付床構造の施工方法。
【請求項９】
前記浮陸調整金属板（９）は複数枚に分割されており、
前記第２工程にて、複数枚の前記浮陸調整金属板（９）を前記熱源ユニット（８）の上に載せた後、前記浮陸調整金属板（９）の分割部分に防水テープ（９ｂ）を貼り付けることを特徴とする請求項８に記載の暖房機能付床構造の施工方法。
【請求項１０】
前記第１工程にて、前記熱源ユニット（８）を既設の化粧用木製フローリング材（７）の上に載せて設置することを特徴とする請求項８または９に記載の暖房機能付床構造の施工方法。
【発明の詳細な説明】
【技術分野】
【０００１】
本発明は、石製又はタイル製の化粧パネルを複数枚並べて室内の化粧床面を形成するようにした暖房機能付床構造と、その施工方法に関するものである。
【背景技術】
【０００２】
近年、床の化粧面を形成する木製フローリング材やカーペットに替えて、大理石、御影石その他の石製又はタイル製の化粧パネルを床の化粧面に使用して、高級感を演出するといった需要が増加傾向にある（例えば、特許文献１等）。この場合、石やタイルはカーペットや木に比べて低温になるため、電気発熱体又は熱源流体配管等からなる熱源ユニットを設けるニーズが高い。
【０００３】
そして、石製又はタイル製の化粧パネル（以下、単に「化粧パネル」と呼ぶ）の厚み寸法バラツキ吸収および設置場所の浮陸調整を図るべく、化粧パネルをモルタルで床に固定することが一般的であり、それにともなって電気発熱体又は熱源流体配管は前記モルタルに埋設させるのが、化粧パネルを採用した場合における従来の暖房機能付床構造である。
【０００４】
【特許文献１】特開平１１−２５７６７３号公報
【発明の開示】
【発明が解決しようとする課題】
【０００５】
しかしながら、このようなモルタルを用いた工法（以下、「湿式工法」と呼ぶ）では、モルタルの打設、養生等に時間がかかるため、暖房機能付床構造を設置施工する工期が極めて長くなってしまう。特に、リフォームにより該床構造を後付けする場合には、施工作業を行っていない夜間等の時間帯であっても、リフォーム施工期間中はその室内で生活できないといった大きな問題を抱えてしまう。また、上記湿式工法では化粧パネルをモルタルで固定するので、化粧パネルを取り外すことができない。よって、化粧パネルを磨くといったメンテナンス作業は室内でしか行うことができず、メンテナンス性が悪い。また、化粧パネルに割れ、欠け等の破損が生じても化粧パネルを交換することができず、メンテナンス性が悪い。
【０００６】
本発明は、上記点に鑑み、石製又はタイル製の化粧パネルで室内の化粧床面を形成する暖房機能付床構造の、設置施工する工期の短縮とメンテナンス性向上を図ることを目的とする。
【課題を解決するための手段】
【０００７】
上記目的を達成するため、請求項１に記載の発明では、石製又はタイル製の化粧パネル（２）を複数枚並べて室内の化粧床面（２ａ）を形成し、前記化粧パネル（２）の下方に熱源ユニット（８）を配置してなる暖房機能付床構造であって、複数枚の前記化粧パネル（２）と前記熱源ユニット（８）との間には、水平に拡がる設置面（９ａ）を形成する浮陸調整金属板（９）が配置され、前記化粧パネル（２）は、前記浮陸調整金属板（９）とは縁が切れた状態で前記設置面（９ａ）の上に載せられ、前記複数枚の化粧パネル（２）のうち前記室内の壁面（１ｂ）に対向する位置の化粧パネル（２）と前記壁面（１ｂ）との間には、少なくとも水平方向に弾性変形可能な弾性部材（１０）が設けられていることを特徴とする。
【０００８】
請求項２に記載の発明では、前記浮陸調整金属板（９）は複数枚に分割されており、前記浮陸調整金属板（９）の分割部分には、防水テープ（９ｂ）が貼り付けられていることを特徴とする。
請求項３に記載の発明では、前記浮陸調整金属板（９）は、前記熱源ユニット（８）の上に載せられていることを特徴とする。
請求項４に記載の発明では、前記熱源ユニット（８）は、化粧用木製フローリング材（７）の上に載せられていることを特徴とする。
請求項５に記載の発明では、前記弾性部材には、前記化粧パネル（２）と前記壁面（１ｂ）との間に流動性の素材を充填して固化させてなるシーリング材（１０）が採用されていることを特徴とする。
請求項６に記載の発明では、前記シーリング材（１０）の下面には、該シーリング材（１０）と密着性の低い剥離部材（１１）が配置されていることを特徴とする。
請求項７に記載の発明では、前記壁面（１ｂ）と前記シーリング材（１０）の間に、該シーリング材（１０）と密着する見切り材（１２）を介在させることを特徴とする。
【０００９】
請求項８に記載の発明では、室内にて熱源ユニット（８）を設置する第１工程と、前記熱源ユニット（８）の上に、水平に拡がる設置面（９ａ）を形成する浮陸調整金属板（９）を載せる第２工程と、石製又はタイル製の化粧パネル（２）を、前記浮陸調整金属板（９）とは縁が切れた状態で前記設置面（９ａ）の上に複数枚並べて前記室内の化粧床面（２ａ）を形成する第３工程と、前記複数枚の化粧パネル（２）のうち前記室内の壁面（１ｂ）に対向する位置の化粧パネル（２）と前記壁面（１ｂ）との間に、少なくとも水平方向に弾性変形可能な弾性部材（１０）を設ける第４工程と、を備えることを特徴とする。
【００１０】
請求項９に記載の発明では、前記浮陸調整金属板（９）は複数枚に分割されており、前記第２工程にて、複数枚の前記浮陸調整金属板（９）を前記熱源ユニット（８）の上に載せた後、前記浮陸調整金属板（９）の分割部分に防水テープ（９ｂ）を貼り付けることを特徴とする。
請求項１０に記載の発明では、前記第１工程にて、前記熱源ユニット（８）を既設の化粧用木製フローリング材（７）の上に載せて設置することを特徴とする。
【００１１】
なお、上記各手段の括弧内の符号は、後述する実施形態に記載の具体的手段との対応関係を示す一例である。
【発明の効果】
【００１２】
請求項１に記載の発明によれば、化粧パネル（２）は浮陸調整金属板（９）の上に載せられているので、複数枚の化粧パネル（２）によって形成される化粧床面（２ａ）を浮陸のない面一の状態にできる。また、近年では化粧パネル（２）の厚み寸法精度が高くなってきているため、寸法精度の高い化粧パネル（例えば、厚み寸法１５±１.０ｍｍの化粧パネル）（２）を採用すれば厚み寸法バラツキ吸収は不要にできる。そして、化粧パネル（２）と壁面（１ｂ）との間には弾性部材（１０）が設けられているので、化粧パネル（２）は弾性部材（１０）によって水平方向に位置決めされる。
【００１３】
よって、化粧床面（２ａ）を浮陸のない面一の状態にすることと、化粧パネル（２）を水平方向に位置決めすることとを、モルタルの使用を廃止した乾式工法で実現できるので、暖房機能付床構造を設置施工する工期の短縮を図ることができ、リフォーム等により該床構造を後付けする場合であっても、施工作業を行っていない夜間等の時間帯であればその室内での生活を可能にできる。
【００１４】
また、請求項１に記載の発明によれば、化粧パネル（２）は、浮陸調整金属板（９）とは縁が切れた状態で設置面（９ａ）の上に載せられているだけであるため、化粧パネル（２）を浮陸調整金属板（９）の上から容易に取り外すことができる。よって、化粧パネル（２）を取り外して磨いたり別パネルに交換する等のメンテナンス性を向上できる。
【００１５】
また、浮陸調整金属板（９）は金属製であり熱伝導率が高いため、熱源ユニット（８）の熱が浮陸調整金属板（９）にて水平方向に良好に移動して化粧床面（２ａ）の温度分布バラツキを抑制でき、さらには、化粧床面（２ａ）の温度上昇を速くできる。
【００１６】
請求項２に記載の発明によれば、化粧パネル（２）上にこぼした水等の液体が浮陸調整金属板（９）の分割部分から下方に落下してしまうことを防止でき、熱源ユニット（８）の金属部品の腐食や電気部品の短絡等の障害を抑制することができる。なお、防水テープ（９ｂ）に金属製（例えばアルミニウム製）のテープを採用すれば、耐熱性に優れるため好適である。
【００１７】
また、浮陸調整金属板（９）の下側に位置する各種部材（例えば、熱源ユニットに使用される可能性のあるプラスチック、接着剤等）からは、人体に有害な化学物質が放出されている場合があり得るが、請求項２に記載の発明によれば、浮陸調整金属板（９）の分割部分に防水テープ（９ｂ）を貼り付けているので、前記有害な化学物質が室内に漏れ出てくることを抑制できる。なお、この場合には、防水テープ（９ｂ）の材質に、有害な化学物質を放出しない材質（例えばアルミニウムその他の金属製）を適用することが望ましい。
【００１８】
請求項３に記載の発明によれば、熱源ユニット（８）から浮陸調整金属板（９）への熱移動を効率良くできる。
【００１９】
請求項４に記載の発明によれば、化粧用木製フローリング材（７）にて化粧床面７ａが形成されている既設の床に、本発明に係る暖房機能付床構造を後付けで設置施工する場合において、既設の化粧用木製フローリング材（７）を撤去することなく、本発明の暖房機能付床構造を設置施工できるので、より一層の工期短縮を図ることができる。
【００２０】
請求項５に記載の発明によれば、化粧床面（２ａ）の見栄えを著しく損なわせることなく、弾性部材（１０）を簡単に設置することができる。
【００２１】
ここで、シーリング材（１０）は、充填してから固化するまでの間に、化粧パネル（２）および壁面（１ｂ）と密着するのみならず、シーリング材（１０）の下方に位置する部材とも密着してしまう。すると、シーリング材（１０）の水平方向への弾性変形が妨げられてしまう恐れがある。これに対し、請求項６に記載の発明によれば、前記シーリング材（１０）の下面には、該シーリング材（１０）と密着性の低い剥離部材（１１）が配置されているので、シーリング材（１０）の水平方向への弾性変形が妨げられてしまうことを抑制できる。
【００２２】
しかも、請求項７に記載の発明によれば、壁面（１ｂ）を汚すことなく化粧パネル（２）を取り外すことができ、特に、賃貸住宅の室内にて本発明の暖房機能付床構造を適用した場合には、該床構造を壁面（１ｂ）を汚すことなく撤去でき、好適である。
【００２３】
請求項８に記載の発明によれば、化粧パネル（２）は浮陸調整金属板（９）の上に載せられているので、複数枚の化粧パネル（２）によって形成される化粧床面（２ａ）を浮陸のない面一の状態にできる。また、近年では化粧パネル（２）の厚み寸法精度が高くなってきているため、寸法精度の高い化粧パネル（２）を採用すれば厚み寸法バラツキ吸収は不要にできる。そして、化粧パネル（２）と壁面（１ｂ）との間には弾性部材（１０）が設けられているので、化粧パネル（２）は弾性部材（１０）の弾性力によって水平方向に位置決めされる。
【００２４】
よって、化粧床面（２ａ）を浮陸のない面一の状態にすることと、化粧パネル（２）を水平方向に位置決めすることとを、モルタルの使用を廃止した乾式工法で実現できるので、暖房機能付床構造を設置施工する工期の短縮を図ることができ、リフォーム等により該床構造を後付けする場合であっても、施工作業を行っていない夜間等の時間帯であればその室内での生活を可能にできる。
【００２５】
また、請求項８に記載の発明によれば、化粧パネル（２）は、浮陸調整金属板（９）とは縁が切れた状態で設置面（９ａ）の上に載せられているだけであるため、化粧パネル（２）を浮陸調整金属板（９）の上から容易に取り外すことができる。よって、化粧パネル（２）を取り外して磨いたり別パネルに交換する等のメンテナンス性を向上できる。また、浮陸調整金属板（９）は金属製であり熱伝導率が高いため、熱源ユニット（８）から化粧パネル（２）への熱移動を高効率にできる。
【００２６】
請求項９に記載の発明によれば、化粧パネル（２）上にこぼした水等の液体が浮陸調整金属板（９）の分割部分から下方に落下してしまうことを防止でき、熱源ユニット（８）の金属部品の腐食や電気部品の短絡等の障害を抑制することができる。なお、防水テープ（９ｂ）にアルミニウム製のテープを採用すれば、耐熱性に優れるため好適である。
【００２７】
また、浮陸調整金属板（９）の下側に位置する各種部材（例えば熱源ユニット、接着剤等）からは、人体に有害な化学物質が放出されている場合があり得るが、請求項９に記載の発明によれば、浮陸調整金属板（９）の分割部分に防水テープ（９ｂ）を貼り付けているので、前記有害な化学物質が室内に漏れ出てくることを抑制できる。なお、この場合には、防水テープ（９ｂ）の材質に、有害な化学物質を放出しない材質（例えばアルミニウムその他の金属製）を適用することが望ましい。
【００２８】
請求項１０に記載の発明によれば、化粧用木製フローリング材（７）にて化粧床面７ａが形成されている既設の床に、本発明に係る暖房機能付床構造を後付けで設置施工する場合において、既設の化粧用木製フローリング材（７）を撤去することなく、本発明の暖房機能付床構造を設置施工できるので、より一層の工期短縮を図ることができる。
【発明を実施するための最良の形態】
【００２９】
以下、本発明の各実施形態を図に基づいて説明する。
【００３０】
（第１実施形態）
本実施形態は、室内の化粧床面が木製フローリング材で形成されている住宅に、本発明の暖房機能付床構造をリフォームにより後付けした場合の一例を説明するものである。図１はリフォーム後の化粧床面および壁等を示す平面図であり、石膏ボード等の壁部材１に囲まれた室内Ｒの床全面に、化粧パネルとしての大理石パネル２が複数枚並べられており、該大理石パネル２の上面にて室内Ｒの化粧床面２ａを形成している。因みに、図１中の符号１ａは壁部材１に開口する出入口部分を示しており、ドアは一点鎖線にて示している。
【００３１】
各大理石パネル２の形状は矩形であり望ましくは正方形である。そして、各大理石パネル２の面積は大きすぎるとパネル１枚あたりの重量が重すぎて施工性が悪くなり、小さすぎるとパネルの総枚数が多すぎて施工性が悪くなるため、このような施工性に鑑みて、１辺の長さＬ１が３００ｍｍ〜４００ｍｍの正方形が望ましい。なお、室内Ｒの形状に合わせて正方形と長方形の組み合わせで化粧床面２ａは形成される。
【００３２】
また、各大理石パネル２の厚み寸法ｔ１（図２参照）は、厚すぎるとパネル１枚あたりの重量が重すぎて施工性が悪くなり、薄すぎると強度不足により割れ欠け等の破損を招いてしまう。このような施工性および耐強度性に鑑みて、厚み寸法ｔ１は１０ｍｍ〜１５ｍｍが望ましく、本実施形態では、厚み寸法ｔ１＝１５ｍｍに設定しており、寸法精度が±１.０ｍｍの大理石パネル２を採用している。
【００３３】
次に、図１の断面図である図２を用いて、大理石パネル２の下方の構造（床下構造）を説明する。
【００３４】
本実施形態の床下構造は、下方から順に、コンクリートスラブ３、根太４、断熱材５、下地合板６、木製フローリング材７、熱源ユニット８、ダミーパネル８Ｄ、浮陸調整金属板９、大理石パネル２が積層配置されている。なお、根太４間に配置された断熱材５は、熱源ユニット８の熱がコンクリートスラブ３に伝熱されることを防止するものである。木製フローリング材７はリフォーム前に化粧床面７ａを形成していた既設のものである。
【００３５】
熱源ユニット８は、通電により発熱する電気発熱体をケーシングに内蔵して構成された電気式のものであり、ケーシングの上面は、後述する図４に示すように、金属製の放熱板８ａと、その周囲を取り囲む木製の釘打部８ｂとから構成されている。釘打部８ｂに釘を打ち込むことにより木製フローリング材７に熱源ユニット８を固定するようにしてもよいし、釘を打ち込むことなく木製フローリング材７の上に熱源ユニット８を載せるだけでもよい。
【００３６】
図４は、大理石パネル２および鉄板９を取り除いた状態を示す平面図であり、図中の斜線部はダミーパネル８Ｄを示している。該図４に示すように、熱源ユニット８は複数であり、壁面１ｂから水平方向に所定間隔（例えば２００〜６００ｍｍ）だけ空けるようにして敷き詰められている。これにより、室内Ｒのうち壁面１ｂに沿って配置される家具等が加熱されてしまうことを回避している。そして、図２に示すように、熱源ユニット８の厚さ寸法と同じ厚さのダミーパネル８Ｄを熱源ユニット８と壁面１ｂとの間に配置して、該ダミーパネル８Ｄおよび熱源ユニット８により鉄板９を下方から支持するようにしている。
【００３７】
浮陸調整金属板９は、複数枚の金属板に分割されており、熱源ユニット８の上面全体に敷き並べられている。そして、浮陸調整金属板９の上面には前述の大理石パネル２が敷き並べられる。浮陸調整金属板９は、水平で浮陸のない大理石パネル２の設置面を形成するためのものであり、本実施形態では鉄製の金属板（鉄板）を採用している。
【００３８】
各鉄板９の面積は大きすぎると鉄板１枚あたりの重量が重すぎて施工性が悪くなり、小さすぎると鉄板９の総枚数が多すぎて施工性が悪くなるため、このような施工性に鑑みて、鉄板９の大きさを設定するのが望ましい。
【００３９】
また、各鉄板９の厚み寸法ｔ２（図２参照）は、厚すぎると鉄板１枚あたりの重量が重すぎて施工性が悪くなり、薄すぎると強度不足により変形してしまう。このような施工性および耐強度性に鑑みて、厚み寸法ｔ２は１.０ｍｍ〜３.０ｍｍが望ましい。因みに、本実施形態では、下地合板６の厚み寸法は１２ｍｍ、木製フローリング材７の厚み寸法は１２ｍｍであり、熱源ユニット８の厚み寸法は９ｍｍ、鉄板９の厚み寸法ｔ２は１.２ｍｍである。
【００４０】
また、鉄板９の大きさは、鉄板９の繋ぎ目（分割部分）が熱源ユニット８の繋ぎ目と重ならないように、かつ、鉄板９の角部が釘打部８ｂ上に位置するように設定されている。これにより、鉄板９の縁部が熱源ユニット８の繋ぎ目に落ち込んで設置面９ａの水平度が低下してしまうことを防止し、かつ、鉄板９の角部が放熱板８ａに押し付けられることによる放熱板８ａの破損を防止している。さらに、鉄板９の大きさは、鉄板９の繋ぎ目が大理石パネル２の繋ぎ目と重ならないように設定されており、これにより、大理石パネル２の角部は熱源ユニット８に対して鉄板９の設置面９ａで覆われることとなるので、熱源ユニット８を前記角部から保護して熱源ユニット８の破損を防止できる。
【００４１】
また、図１のＡ部拡大図である図３に示すように、鉄板９の繋ぎ目（分割部分）には防水テープ９ｂが貼り付けられている。防水テープ９ｂには耐熱性、気密性に優れた材質が望ましく、本実施形態では、アルミニウム製のテープを採用している。これにより、大理石パネル２上にこぼした水等の液体が鉄板９の繋ぎ目から下方に落下してしまうことを防止でき、熱源ユニット８の金属部品の腐食や電気部品の短絡等の障害を抑制することができる。また、既設木製フローリング材７や熱源ユニット８から放出される人体に有害な化学物質が、室内Ｒに漏れ出てくることを遮断できる。因みに、本実施形態では、鉄板９の繋ぎ目には約３ｍｍの隙間が空けてあり、該隙間は防水テープ９ｂにより閉塞されている。
【００４２】
なお、前述したように、鉄板９の繋ぎ目は大理石パネル２の繋ぎ目と重ならないように設定されているので、大理石パネル２の角部で防水テープ９ｂが損傷してしまうことを防止できる。なおまた、図２では防水テープ９ｂの図示を省略している。
【００４３】
また、図２に示すように、複数枚の鉄板９のうち室内Ｒの壁面１ｂに対向する位置の鉄板９と壁面１ｂとの間には、隙間Ｓが形成されている。なお、図２中の符号１ａは壁部材１の下方部分に取り付けられた巾木を示しており、本実施形態では巾木１ａの表面１ｂが特許請求の範囲に記載の壁面に相当する。図１および図３では巾木１ａの図示を省略している。図２中の符号１ｃは壁部材１の表面に貼り付けられて化粧壁面を形成するクロスを示しており、これらの壁部材１、巾木１ａおよびクロス１ｃは、リフォーム前に施工されていた既設のものである。
【００４４】
大理石パネル２は、接着剤等で固着させることなく鉄板９の設置面９ａ上に載せられている。すなわち、大理石パネル２は鉄板９と縁が切れた状態で設置されている。また、隣接する複数枚の大理石パネル２どうしは、互いに縁が切れた状態で設置されている。そして、複数枚の大理石パネル２のうち室内Ｒの壁面（巾木１ａの面）１ｂに対向する位置の大理石パネル２と壁面１ｂとの間には、少なくとも水平方向に弾性変形可能な弾性部材１０が設けられている。
【００４５】
具体的には、大理石パネル２と壁面１ｂとの間にシリコンゴム等のシーリング材を充填されており、該シーリング材１０を弾性部材として機能させている。また、シーリング材１０は化粧床面２ａ全周に亘って充填されており、ドアの出入口部分１ａでは、シーリング材１０は框１ｄ（図１参照）と大理石パネル２との間に充填されている。本実施形態におけるシーリング材１０の幅寸法Ｌ３（図２参照）は、約１０ｍｍに設定されている。なお、図３中の符号１０に示す斜線はシーリング材１０の充填箇所を示示すためのものであり、図３中の符号８Ｄに示す斜線はダミーパネル８Ｄを示すためのものであり、これらの斜線は断面を示すものではない。
【００４６】
ここで、シーリング材１０を鉄板９の設置面９ａの上に直接充填すると、シーリング材１０が鉄板９と密着するため、シーリング材１０の水平方向への弾性変形が前記密着により妨げられてしまう。そこで、本実施形態では、鉄板９の設置面９ａとシーリング材１０との間に、シーリング材１０と密着性の低いバックアップ材（剥離部材）１１を配置している。
【００４７】
これにより、シーリング材１０は水平方向の両端部分でのみ密着する。すなわち、巾木１ａと大理石パネル２とのみ密着し、下面部分では密着しないので、シーリング材１０の水平方向への弾性変形が妨げられてしまうことを抑制できる。図２に示す本実施形態のバックアップ材１１にはウレタンフォームが採用されているが、バックアップ材１１の材質はシーリング材１０と密着性の低い材質であればよく、例えば、液体又は粉体の剥離剤や油等をバックアップ材１１として適用してもよい。
【００４８】
本実施形態の暖房機能付床構造は、上記構成の大理石パネル２、熱源ユニット８、ダミーパネル８Ｄ、鉄板９、防水テープ９ｂ、シーリング材１０およびバックアップ材１１等から構成されており、以下に、本実施形態に係る暖房機能付床構造を設置する、室内Ｒでの施工手順を説明する。
【００４９】
はじめに、既設の木製フローリング材７の上に複数の熱源ユニット８およびダミーパネル８Ｄを敷き並べる（第１工程）。図４は第１工程が終了した時点における、大理石パネル２および鉄板９等を取り除いた状態の平面図である。次に、熱源ユニット８の上に複数枚の鉄板９を敷き並べる（第２工程）。図５は第２工程が終了した時点における、大理石パネル２等を取り除いた状態の平面図である。
【００５０】
次に、鉄板９の繋ぎ目に接着剤付の防水テープ９ｂを貼り付ける。その後、大理石パネル２を、接着剤等で固着させることなく鉄板９の設置面９ａに敷き並べる（第３工程）。次に、鉄板９の設置面９ａ上のうち大理石パネル２と巾木１ａの表面１ｂとの間の部分に、バックアップ材１１をはめ込む。そして、大理石パネル２と巾木１ａの表面１ｂとの間（バックアップ材１１の上）にシーリング材１０を充填して（第４工程）、室内Ｒの化粧床面が木製フローリング材７で形成されている住宅に、本実施形態の暖房機能付床構造をリフォームにより後付けする施工が完了する。
【００５１】
以上により、本実施形態によれば、鉄板９により水平に拡がる設置面９ａを形成し、該鉄板９の上に大理石パネル２を載せるので、複数枚の大理石パネル２によって形成される化粧床面２ａを浮陸のない面一の状態にできる。また、大理石パネル２の厚み寸法精度はｔ１＝１５±０.５ｍｍと高いため、従来のように大理石パネル２をモルタルで固定して厚み寸法バラツキ吸収を図ることを不要にできる。そして、大理石パネル２と巾木１ａの表面１ｂとの間には弾性変形するシーリング材１０が設けられているので、大理石パネル２はシーリング材１０によって水平方向に位置決めされる。
【００５２】
従って、化粧床面２ａを浮陸のない面一の状態にすることと、大理石パネル２を水平方向に位置決めすることとを、モルタルの使用を廃止した乾式工法で実現できるので、暖房機能付床構造を設置施工する工期の短縮を図ることができ、施工作業を行っていない夜間等の時間帯であればその室内Ｒでの生活を可能にできる。
【００５３】
また、大理石パネル２は、接着剤等で固着させることなく鉄板９に載せられているだけなので、大理石パネル２を鉄板９の上から容易に取り外すことができ、大理石パネル２を取り外して磨いたり別パネルに交換する等のメンテナンス性を向上できる。
【００５４】
また、大理石パネル２はカーペットや木材に比べて重いため、鉄板９を熱源ユニット８に固定していない場合であっても、大理石パネル２の自重により鉄板９を熱源ユニット８に押さえつけることができる。よって、鉄板９が熱により反り変形しようとした場合であっても、該変形を抑制することができる。同様にして、熱源ユニット８を釘等で木製フローリング材７に固定していない場合であっても、大理石パネル２の自重により熱源ユニット８を木製フローリング材７に押さえつけることができるので、熱源ユニット８の変形を抑制することができる。
【００５５】
また、熱源ユニット８の熱は熱伝導率の高い鉄板９により水平方向に良好に移動するため、化粧床面２ａの温度分布バラツキを抑制でき、さらには、化粧床面２ａの温度上昇を速くできる。
【００５６】
また、鉄板９の設置面９ａとシーリング材１０との間に、シーリング材１０と密着性の低いバックアップ材１１を配置するので、シーリング材１０の水平方向への弾性変形が妨げられてしまうことを抑制でき、上述した大理石パネル２の反り変形を効果的に抑制できる。
【００５７】
また、シーリング材１０が化粧床面２ａ全周に亘って充填されており、かつ、鉄板９の繋ぎ目には防水テープ９ｂが貼り付けられているので、鉄板９の下側に位置する各種部材（例えば、既設木製フローリング材７や熱源ユニット８に使用される可能性のある、プラスチックおよび接着剤等）から放出される可能性のある有害物質が室内Ｒに漏れ出てくることを、シーリング材１０および防水テープ９ｂにより抑制できる。
【００５８】
ここで、本発明者は、鉄板９を廃止して熱源ユニット８の上に直接大理石パネル２を配置した構造を検討した。しかしながら、大理石等の石やタイルはカーペットや木材に比べて硬いため、大理石パネル２の角部に人が乗った場合等に角部で熱源ユニット８が損傷してしまうといった問題が生じることが分かった。これに対し、本実施形態では、下方から順に、熱源ユニット８、鉄板９、大理石パネル２を積層配置しているので、鉄板９により大理石パネル２の角部を覆うことができ、上述の熱源ユニット８の損傷を抑制できる。
【００５９】
（第２実施形態）
上記第１実施形態では、弾性部材としてのシーリング材１０を既設の壁面（巾木１ａの面）１ｂと大理石パネル２との間に充填させているのに対し、図６に示す本実施形態では、既設の壁面１ｂに見切り材１２を設置し、該見切り材１２と大理石パネル２との間にシーリング材１０を充填させている。よって、シーリング材１０は、見切り材１２と大理石パネル２とに密着することとなる。
【００６０】
見切り材１２は木製の板材であり板厚は約６ｍｍが望ましい。そして、見切り材１２は、熱源ユニット８を設置施工する前に下地合板６の上に設置され、かつ、ダミーパネル８Ｄによって壁面（巾木１ａの面）１ｂとの間にはさみこまれ、シーリング材１０によって大理石パネル２と一体化することにより固定される。従って、見切り材１２は、接着剤等を使用することなく巾木１ａの面１ｂとは縁が切れた状態で配置されている。
【００６１】
このように本実施形態によれば、シーリング材１０は既存の壁面１ｂと密着する替わりに見切り材１２と密着し、見切り材１２は巾木１ａの面１ｂには密着しないこととなるので、巾木１ａを汚すことなく大理石パネル２を取り外すことができる。よって、特に、賃貸住宅の室内Ｒにて本実施形態の暖房機能付床構造を適用した場合には、該床構造を壁面１ｂを汚すことなく撤去でき、好適である。なお、本実施形態の構造のうち、見切り材１２以外の構造は上記第１実施形態と同様であり、第１実施形態と同様の効果が発揮される。
【００６２】
（他の実施形態）
上記各実施形態では、鉄板９の上に直接大理石パネル２を配置しているが、本発明はこのような配置に限られるものではなく、鉄板９と大理石パネル２との間に別部材が介在していてもよい。例えば、上記別部材として鉄板９より軟らかい材質のシートを介在させることで、大理石パネル２が鉄板９に押し付けられて割れてしまうことを防止するようにしてもよい。なお、前記シートは熱伝導性に優れた材質が好ましい。
【００６３】
また、上記各実施形態では、熱源ユニット８の下に木製フローリング材７が存在する床下構造であるが、本発明はこのような床下構造への適用に限られるものではなく、例えば、前記木製フローリング材７を別部材（例えば砂等）に置き換えるようにした床下構造にも適用できる。
【００６４】
また、上記各実施形態では、熱源ユニット８に電気式のものを採用しているが、本発明の実施にあたり、熱源ユニット８に、熱源としての温水が流通する配管を備える温水式のものを採用してもよい。
【００６５】
また、上記各実施形態では、浮陸調整金属板９に鉄板を採用しているが、本発明の浮陸調整金属板９は鉄製に限られるものではなく、例えば、ブリキ製、アルミニウム製等、金属製であればよい。また、浮陸調整金属板９に錆び易い材質（例えば鉄）を適用した場合には、該金属板９に、メッキ、塗装その他の錆止め加工を施すようにして好適である。
【００６６】
また、上記各実施形態では、化粧パネル２に、天然大理石又は人工大理石を加工してなる大理石パネルを採用しているが、本発明の化粧パネル２は大理石製に限定されるものではなく、化粧パネル２に、御影石等その他の各種の石や、タイルをも採用できる。
【００６７】
また、上記各実施形態では、本発明の暖房機能付床構造をリフォームにより後付けする場合の一例であるが、本発明はこのような後付けする場合への適用に限られるものではなく、例えば、木製フローリング材７を廃止して、下方から順に、下地合板６、熱源ユニット８、浮陸調整金属板９、大理石パネル２を積層配置することが挙げられる。
【００６８】
また、上記各実施形態では、図４に示すように熱源ユニット８を、壁面１ｂから水平方向に所定間隔だけ空けるようにして敷き詰めているが、本発明の実施にあたり、ダミーパネル８Ｄを廃止して、熱源ユニット８を床一面に敷き詰めるようにしてもよい。
【００６９】
尚、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。
【図面の簡単な説明】
【００７０】
【図１】本発明の第１実施形態に係る暖房機能付床構造の、大理石パネル２による化粧床面２ａを示す平面図である。
【図２】図１の断面図である。
【図３】大理石パネル２、鉄板９、熱源ユニット８およびダミーパネル８Ｄの積層構造を示す、図１のＡ部拡大図である。
【図４】第１実施形態において、第１工程が終了した時点における、大理石パネル２および鉄板９等を取り除いた状態の平面図である。
【図５】第１実施形態において、第２工程が終了した時点における、大理石パネル２等を取り除いた状態の平面図である。
【図６】本発明の第２実施形態に係る暖房機能付床構造を示す断面図である。
【符号の説明】
【００７１】
１…壁部材  １ｂ…壁面（巾木１ａの面）  ２…大理石パネル（化粧パネル）
２ａ…化粧床面  ８…熱源ユニット  ９…鉄板（浮陸調整金属板）  ９ａ…設置面
１０…シーリング材（弾性部材）  １１…バックアップ材（剥離部材）  Ｒ…室内
【図１】
2005126981.tif 000003
【図２】
2005126981.tif 000004
【図３】
2005126981.tif 000005
【図４】
2005126981.tif 000006
【図５】
2005126981.tif 000007
【図６】
2005126981.tif 000008